(57)【要約】【課題】待機電力の消費をなくする。【解決手段】照明器具ＦＬ、ＦＬ…を点消灯する操作スイッチ１１と、照明器具ＦＬ、ＦＬ…の光を受光する太陽電池２１と、室内の人を検出する人感センサ２２と、制御回路１２、電源ユニット１３とを設け、操作スイッチ１１は、制御回路１２からの消灯信号Ｓ3 により照明器具ＦＬ、ＦＬ…を自動消灯させる。【選択図】図１
2012169193.tif 000002
【特許請求の範囲】
【請求項１】
室内の照明器具を手動で点消灯する操作スイッチと、室内の照明器具の光を受光する太陽電池と、室内の人を検出する人感センサと、前記太陽電池、人感センサの各出力信号を入力し、室内の照明器具が点灯中であって室内が無人である状態が継続して設定時間を超えると消灯信号を出力する制御回路と、前記太陽電池の出力電力を利用して前記制御回路に給電する電源ユニットとを備えてなり、前記操作スイッチは、前記制御回路からの消灯信号により室内の照明器具を自動消灯させる開放機構を有することを特徴とする照明器具の自動消灯装置。
【請求項２】
室内の照明器具を手動で点消灯する操作スイッチと、室内の照明器具の光を受光する光センサと、室内の人を検出する人感センサと、前記光センサ、人感センサの各出力信号を入力し、室内の照明器具が点灯中であって室内が無人である状態が継続して設定時間を超えると消灯信号を出力する制御回路と、前記操作スイッチの下流側から分岐する商用電力を利用して前記制御回路に給電する電源ユニットとを備えてなり、前記操作スイッチは、前記制御回路からの消灯信号により室内の照明器具を自動消灯させる開放機構を有することを特徴とする照明器具の自動消灯装置。
【発明の詳細な説明】
【技術分野】
【０００１】
この発明は、たとえば学校の教室などのように不特定多数の人が使用する場所の照明器具に対して特に好適に適用することができる照明器具の自動消灯装置に関する。
【背景技術】
【０００２】
人の存在を検出する赤外線式の人感センサと、周囲の明るさを検出する照度センサとを設け、周囲が暗いときに人が近付くと照明器具を自動点灯させ、人が遠去かると所定時間後に照明器具を自動消灯させる自動点滅スイッチが広く実用されている（たとえば特許文献１、２）。
【０００３】
自動点滅スイッチは、人感センサ、照度センサの各出力信号に基づき、照明器具を点消灯させる開閉部を適切に制御するために、たとえばマイクロコンピュータによる判断処理部を備えている。また、マイクロコンピュータは、商用電源から分岐する電源回路から所定の直流電圧が常時給電されている。
【先行技術文献】
【特許文献】
【０００４】
【特許文献１】特開２０００−４８６８９号公報
【特許文献２】特開２００１−２３７０８５号公報
【発明の概要】
【発明が解決しようとする課題】
【０００５】
かかる従来技術によるときは、自動点滅スイッチは、照明器具の点灯時、消灯時に拘らず、商用電源に直結する電源回路から常時給電する必要があるから、待機電力を消費し、不経済であるという問題があった。
【０００６】
そこで、この発明の目的は、かかる従来技術の問題に鑑み、点灯中の照明器具の光を受光する太陽電池の出力電力、または照明器具の点消灯用の操作スイッチの下流側から分岐する商用電力を利用することによって、少なくとも照明器具の消灯中において商用電源から完全に切り離して待機電力を消費することがない照明器具の自動消灯装置を提供することにある。
【課題を解決するための手段】
【０００７】
かかる目的を達成するための請求項１の発明の構成は、室内の照明器具を手動で点消灯する操作スイッチと、室内の照明器具の光を受光する太陽電池と、室内の人を検出する人感センサと、太陽電池、人感センサの各出力信号を入力し、室内の照明器具が点灯中であって室内が無人である状態が継続して設定時間を超えると消灯信号を出力する制御回路と、太陽電池の出力電力を利用して制御回路に給電する電源ユニットとを備えてなり、操作スイッチは、制御回路からの消灯信号により室内の照明器具を自動消灯させる開放機構を有することをその要旨とする。
【０００８】
請求項２の発明の構成は、室内の照明器具を手動で点消灯する操作スイッチと、室内の照明器具の光を受光する光センサと、室内の人を検出する人感センサと、光センサ、人感センサの各出力信号を入力し、室内の照明器具が点灯中であって室内が無人である状態が継続して設定時間を超えると消灯信号を出力する制御回路と、操作スイッチの下流側から分岐する商用電力を利用して制御回路に給電する電源ユニットとを備えてなり、操作スイッチは、制御回路からの消灯信号により室内の照明器具を自動消灯させる開放機構を有することをその要旨とする。
【発明の効果】
【０００９】
かかる請求項１の発明の構成によるときは、制御回路は、室内の照明器具の点灯中の光を受光する太陽電池と、室内に居る人を検出する人感センサとの各出力信号を入力し、室内の照明器具が点灯中であって室内が無人である状態が継続して設定時間を超えたと判断すると、操作スイッチに消灯信号を出力して操作スイッチの開放機構を作動させ、操作スイッチを開放させて室内の照明器具を自動消灯させることができる。すなわち、室内の照明器具は、無人の室内を長時間に亘って無駄に照明することがなく、いわゆる消し忘れ防止対策を実現して電力消費を節減することができる。なお、操作スイッチは、手動操作により、消灯中の照明器具を点灯させ、点灯中の照明器具を消灯させることができる。また、制御回路は、太陽電池、人感センサの各出力信号を処理するために、必要な論理判断要素、タイマ要素を備えている。
【００１０】
制御回路は、太陽電池の出力電力を利用する電源ユニットから給電され、商用電源から切り離されている。そこで、制御回路は、それに接続する人感センサとともに、室内の照明器具の点灯中、消灯中に拘らず、商用電力を消費することがなく、待機電力を消費することもない。なお、電源ユニットには、太陽電池からの出力電力を蓄えるバッテリまたはコンデンサなどの蓄電要素を設け、制御回路からの消灯信号を介して操作スイッチの開放機構を作動させるに十分な電力を確保することが好ましい。
【００１１】
請求項２の発明の構成によるときは、制御回路は、室内の照明器具の点灯中の光を受光する光センサと、室内の人を検出する人感センサとの各出力信号を入力することにより、請求項１の制御回路と同様に作動し、請求項１の発明と同様の効果を実現することができる。
【００１２】
なお、請求項２の制御回路は、操作スイッチの下流側からの商用電力を利用する電源ユニットから給電されている。そこで、制御回路は、それに接続する光センサ、人感センサとともに、少なくとも操作スイッチが開放されて室内の照明器具が消灯中であるとき、商用電力を待機電力として消費することがない。
【図面の簡単な説明】
【００１３】
【図１】全体構成ブロック系統図
【図２】設置状態を示す要部模式図
【図３】他の実施の形態を示す図１相当図
【発明を実施するための形態】
【００１４】
以下、図面を以って発明の実施の形態を説明する。
【００１５】
照明器具の自動消灯装置は、操作スイッチ１１と、制御回路１２と、電源ユニット１３とを備えてなる（図１）。
【００１６】
操作スイッチ１１は、手動で開閉操作することにより、商用電源ＡＣによって給電する室内の照明器具ＦＬ、ＦＬ…を点消灯することができる。なお、照明器具ＦＬ、ＦＬ…は、たとえば学校の教室Ｒの天井部に設備されている。
【００１７】
教室Ｒには、照明器具ＦＬ、ＦＬ…の点灯中の光を受光する太陽電池２１が設置されている。また、教室Ｒには、教室Ｒ内に人が居ることを検出する人感センサ２２が設置されている。太陽電池２１は、いわゆるソーラバッテリまたはソーラパネルであり、人感センサ２２は、フォトダイオード、フォトトランジスタや、ＰＺＴなどの焦電素子が使用可能である。太陽電池２１、人感センサ２２の各出力信号Ｓ1 、Ｓ2 は、制御回路１２に入力され、制御回路１２の出力は、消灯信号Ｓ3 として、操作スイッチ１１内の図示しない開放機構を構成する引外しコイルＴＣに導かれている。ただし、操作スイッチ１１は、引外しコイルＴＣにパルス状の消灯信号Ｓ3 を供給して開放機構を作動させることにより、閉成中の接点を開放して点灯中の照明器具ＦＬ、ＦＬ…を自動消灯させることができる。
【００１８】
太陽電池２１の出力は、電源ユニット１３を介して制御回路１２に分岐接続されている。電源ユニット１３は、直列接続する逆流防止用のダイオードＤ1 、Ｄ2 と、ダイオードＤ1 、Ｄ2 の接続点に接続する蓄電用のバッテリＢとを有する。なお、バッテリＢは、必要十分な蓄電能力がある限り、コンデンサなどの他の蓄電要素に代えてもよい。電源ユニット１３は、太陽電池２１の出力電力を利用して制御回路１２に給電することができ、人感センサ２２の作動電圧は、制御回路１２から給電されている。
【００１９】
操作スイッチ１１を手動で投入すると、商用電源ＡＣにより照明器具ＦＬ、ＦＬ…を点灯させることができる。また、点灯中の照明器具ＦＬ、ＦＬ…は、操作スイッチ１１を手動で開放して消灯させることができる。
【００２０】
照明器具ＦＬ、ＦＬ…が点灯しているとき、太陽電池２１は、照明器具ＦＬ、ＦＬ…からの光を受光して発電し、電源ユニット１３内のバッテリＢを充電するとともに制御回路１２に給電する。また、このときの太陽電池２１は、出力信号Ｓ1 を制御回路１２に入力させる。さらに、人感センサ２２は、教室Ｒ内の人を検出して出力信号Ｓ2 を制御回路１２に入力させる。
【００２１】
そこで、制御回路１２は、出力信号Ｓ1 、Ｓ2 に基づき、照明器具ＦＬ、ＦＬ…が点灯中であるにも拘らず、教室Ｒ内が無人であることを検知すると、その状態の継続時間を計測し、所定の設定時間を超えると消灯信号Ｓ3 を操作スイッチ１１に出力し、操作スイッチ１１を開放して照明器具ＦＬ、ＦＬ…を自動消灯させることができる。なお、制御回路１２は、照明器具ＦＬ、ＦＬ…が点灯中で教室Ｒ内が無人である状態の継続時間が設定時間を超えることなく中断されたときは、それまでの継続時間をクリアして再計測に備えるものとする。
【００２２】
以上の説明において、太陽電池２１は、図１に拘らず、たとえば教室Ｒの天井部に設置する照明器具ＦＬの笠ＦＬ1 の内面に貼着するようにして設置してもよい（図２）。
【００２３】
なお、照明器具ＦＬは、笠ＦＬ1 、蛍光管ＦＬ2 を有する蛍光灯器具に限らず、白熱電灯器具やＬＥＤ電灯器具を含む任意の形式であってもよい。また、人感センサ２２は、室内の人の動きを検知するモーションセンサであってもよい。さらに、照明器具ＦＬを設ける教室Ｒは、学校以外の任意の施設や建物などの任意の室内空間であってもよい。
【００２４】
また、図２において、制御回路１２、電源ユニット１３は、操作スイッチ１１、人感センサ２２の一方または双方に組み込んでもよく、図示しない他のケースやボックスなどに組み込んでもよい。
【他の実施の形態】
【００２５】
制御回路１２は、操作スイッチ１１の下流側から分岐する商用電力を利用する電源ユニット１４を介して給電することができる（図３）。ただし、このとき、教室Ｒには、太陽電池２１に代えて、照明器具ＦＬ、ＦＬ…の点灯中の光を受光する光センサ２３が設置され、光センサ２３の出力信号Ｓ1 は、制御回路１２に入力されている。
【００２６】
電源ユニット１４は、図示しないトランス、整流回路、平滑回路、定電圧回路などを含み、制御回路１２に給電し、人感センサ２２、光センサ２３の作動電圧を供給する。そこで、制御回路１２は、光センサ２３、人感センサ２２の各出力信号Ｓ1 、Ｓ2 に基づき、照明器具ＦＬ、ＦＬ…が点灯中で教室Ｒ内が無人である状態の継続時間が設定時間を超えると消灯信号Ｓ3 を操作スイッチ１１に出力し、全体として図１と同様に動作することができる。
【００２７】
以上の説明において、太陽電池２１または光センサ２３は、それぞれ教室Ｒの面積に応じて教室Ｒ内に複数を設けてもよく、人感センサ２２についても同様である。このとき、制御回路１２は、複数の太陽電池２１、２１…または光センサ２３、２３…の出力信号Ｓ1 、Ｓ1 …、複数の人感センサ２２、２２…の出力信号Ｓ2 、Ｓ2 …に基づき、教室Ｒ内の少なくとも１基の照明器具ＦＬが点灯中であるにも拘らず教室Ｒ内が無人であることを検知し、その状態の継続時間を計測すればよい。
【産業上の利用可能性】
【００２８】
この発明は、たとえば学校の教室Ｒなどの不特定多数の人が使用する場所の照明器具ＦＬ、ＦＬ…の消し忘れ防止の用途に対し、広く好適に適用することができる。
【符号の説明】
【００２９】
ＦＬ…照明器具
Ｓ1 、Ｓ2 …出力信号
Ｓ3 …消灯信号
１１…操作スイッチ
１２…制御回路
１３、１４…電源ユニット
２１…太陽電池
２２…人感センサ
２３…光センサ
特許出願人      株式会社  キャダック
【図１】
2012169193.tif 000003
【図２】
2012169193.tif 000004
【図３】
2012169193.tif 000005